(57)【要約】【課題】雪の含水率の測定において、測定にかかるコストを低減させることができると共に従来に比べて測定の手間を軽減させることができるようにする。【解決手段】雪試料が投入される前における溶液２の溶液濃度Ｎo〔％〕及び重量Ｌo〔ｇ〕と雪試料が投入された後における溶液２の溶液濃度Ｎd〔％〕とを用いて Ｗsw＝(Ｎo／Ｎd−１)×Ｌo によって雪試料の水分量Ｗsw〔ｇ〕が算出され、当該雪試料の水分量Ｗsw〔ｇ〕と雪試料の重量Ｗs〔ｇ〕とを用いて ξ＝Ｗsw／Ｗs×１００ によって雪試料の重量含水率ξ〔％〕が算出されるようにした。【選択図】図１
2016011940.tif 000002
【特許請求の範囲】
【請求項１】
雪試料が投入される前における溶液の溶液濃度Ｎo〔％〕及び重量Ｌo〔ｇ〕と雪試料が投入された後における前記溶液の溶液濃度Ｎd〔％〕とを用いて以下の数式１
（数１）  Ｗsw＝(Ｎo／Ｎd−１)×Ｌo
によって前記雪試料の水分量Ｗsw〔ｇ〕が算出され、当該雪試料の水分量Ｗsw〔ｇ〕と前記雪試料の重量Ｗs〔ｇ〕とを用いて以下の数式２
（数２）  ξ＝Ｗsw／Ｗs×１００
によって前記雪試料の重量含水率ξ〔％〕が算出されることを特徴とする雪の含水率測定方法。
【請求項２】
雪試料が投入される前における溶液の温度Ｔo〔℃〕，溶液濃度Ｎo〔％〕，及び重量Ｌo〔ｇ〕と、雪試料が投入された後であり且つ温度が０℃である状態の溶液の溶液濃度Ｎd〔％〕と、雪試料の重量Ｗs〔ｇ〕と、氷の融解熱Ｈmi〔cal／ｇ〕とを用いて以下の数式３
（数３）  ξ＝[(Ｎo／Ｎd−１．０)−Ｔo／Ｈmi]×Ｌo／Ｗs×１００
によって雪試料の重量含水率ξ〔％〕が算出されることを特徴とする雪の含水率測定方法。
【請求項３】
前記溶液が塩水であることを特徴とする請求項１または２記載の雪の含水率測定方法。
【請求項４】
前記雪試料が透水性を有する袋に入れられて前記溶液に投入されることを特徴とする請求項１または２記載の雪の含水率測定方法。
【請求項５】
前記溶液に前記雪試料が投入された後に前記溶液が上下方向に循環させられることを特徴とする請求項１または２記載の雪の含水率測定方法。
【請求項６】
溶液を０℃に保つ測定容器と、当該測定容器内の溶液の溶液濃度を計測するための濃度計測器と、前記測定容器の重量を計測する重量計とを有し、雪試料が投入される前における前記溶液の溶液濃度Ｎo〔％〕及び重量Ｌo〔ｇ〕と雪試料が投入された後における前記溶液の溶液濃度Ｎd〔％〕とを用いて以下の数式４
（数４）  Ｗsw＝(Ｎo／Ｎd−１)×Ｌo
ただし、Ｌo＝Ｗ1−Ｗo
によって前記雪試料の水分量Ｗsw〔ｇ〕を算出するために、前記溶液が入れられる前の前記測定容器の重量Ｗo〔ｇ〕及び前記雪試料が投入される前における前記溶液を含む前記測定容器全体の重量Ｗ1〔ｇ〕を前記重量計によって計測すると共に前記雪試料が投入される前における前記溶液の溶液濃度Ｎo〔％〕及び前記雪試料が投入された後における前記溶液の溶液濃度Ｎd〔％〕を前記濃度計測器によって計測し、さらに、前記雪試料の水分量Ｗsw〔ｇ〕と前記雪試料の重量Ｗs〔ｇ〕とを用いて以下の数式５
（数５）  ξ＝Ｗsw／Ｗs×１００
ただし、Ｗs＝Ｗn−Ｗ1
によって前記雪試料の重量含水率ξ〔％〕を算出するために前記雪試料が投入された後における前記測定容器の重量Ｗn〔ｇ〕を前記重量計によって計測することを特徴とする雪の含水率測定器具。
【請求項７】
溶液を０℃に保つ測定容器と、当該測定容器内の溶液の溶液濃度を計測するための濃度計測器と、測定容器の重量を計測する重量計と、測定容器内の溶液の温度を計測するための温度計とを有し、雪試料が投入される前における溶液の温度Ｔo〔℃〕，溶液濃度Ｎo〔％〕，及び重量Ｌo〔ｇ〕と、雪試料が投入された後であり且つ温度が０℃である状態の溶液の溶液濃度Ｎd〔％〕と、氷の融解熱Ｈmi〔cal／ｇ〕とを用いて以下の数式６
（数６）  Ｗsw＝[(Ｎo／Ｎd−１．０)−Ｔo／Ｈmi]×Ｌo
ただし、Ｌo＝Ｗ1−Ｗo
によって雪試料の水分量Ｗsw〔ｇ〕を算出するために、溶液が入れられる前の測定容器の重量Ｗo〔ｇ〕及び雪試料が投入される前における溶液を含む測定容器全体の重量Ｗ1〔ｇ〕を重量計によって計測すると共に、雪試料が投入される前における溶液の温度Ｔo〔℃〕を温度計によって計測し、また、雪試料が投入される前における溶液の溶液濃度Ｎo〔％〕及び雪試料が投入された後であり且つ温度が０℃である状態の溶液の溶液濃度Ｎd〔％〕を濃度計測器によって計測し、さらに、雪試料の水分量Ｗsw〔ｇ〕と雪試料の重量Ｗs〔ｇ〕とを用いて以下の数式７
（数７）  ξ＝Ｗsw／Ｗs×１００
ただし、Ｗs＝Ｗn−Ｗ1
によって雪試料の重量含水率ξ〔％〕を算出するために雪試料が投入された後における測定容器の重量Ｗn〔ｇ〕を重量計によって計測することを特徴とする雪の含水率測定器具。
【請求項８】
前記溶液が塩水であることを特徴とする請求項６または７記載の雪の含水率測定器具。
【請求項９】
前記雪試料が透水性を有する袋に入れられて前記溶液に投入されることを特徴とする請求項６または７記載の雪の含水率測定器具。
【請求項１０】
前記測定容器が外側容器と内側容器とから構成されると共にこれら外側容器と内側容器との間に空間が設けられ、当該空間に雪が充填されることを特徴とする請求項６または７記載の雪の含水率測定器具。
【請求項１１】
前記測定容器内の前記溶液を循環させるための循環手段を更に有することを特徴とする請求項６または７記載の雪の含水率測定器具。
【発明の詳細な説明】
【技術分野】
【０００１】
本発明は、雪の含水率測定方法及び含水率測定器具に関する。さらに詳述すると、本発明は、携帯可能な器具を用いて雪の含水率を測定する技術に関する。
【背景技術】
【０００２】
雪の含水率を測定する従来の器具・装置としては、例えば、図５に示すように、降雪取入口扉１０２を開け、降雪中の雪１０１を受雪ベルト１０３の上表面に一定量を堆積させて雪塊１０４を生じさせ、この後、受雪ベルト１０３上の雪塊１０４に対して赤外線受発光装置１０５から赤外光を照射し、この際の雪塊１０４からの反射光の反射率を基に含水率を測定するものがある（特許文献１）。
【先行技術文献】
【特許文献】
【０００３】
【特許文献１】特開平９−７９９７７号
【発明の概要】
【発明が解決しようとする課題】
【０００４】
しかしながら、特許文献１の雪の含水率測定装置では、採取雪試料である雪塊１０４の表面に赤外光を照射してこの雪塊１０４の表面からの反射光の反射率に基づいて含水率を測定するため、赤外光が透過することができない雪塊１０４内部の含水率も反映された測定をすることができないという問題がある。また、特許文献１の雪の含水率測定装置では、雪塊１０４に赤外光を照射すると共にこの雪塊１０４表面からの反射光を受光する赤外線受発光装置１０５としての赤外線反射型センサなどの高価な装置が必要であると共に装置が大型化してしまうという問題や、反射光の反射率と含水率との相関を予め導出して準備しておく必要があり手間がかかるという問題がある。そしてこれらのために特許文献１の雪の含水率測定装置は汎用性が高いとは言えない。
【０００５】
そこで、本発明は、特別の装置を必要としないと共に小型化を可能にしてコストを抑制することができると共に従来と比べて測定の手間を軽減させることができる雪の含水率測定方法及び含水率測定器具を提供することを目的とする。
【課題を解決するための手段】
【０００６】
かかる目的を達成するため、本発明の雪の含水率測定方法は、雪試料が投入される前における溶液の溶液濃度Ｎo〔％〕及び重量Ｌo〔ｇ〕と雪試料が投入された後における溶液の溶液濃度Ｎd〔％〕とを用いて数式１によって雪試料の水分量Ｗsw〔ｇ〕が算出され、当該雪試料の水分量Ｗsw〔ｇ〕と雪試料の重量Ｗs〔ｇ〕とを用いて数式２によって雪試料の重量含水率ξ〔％〕が算出されるようにしている。
【０００７】
（数１）  Ｗsw＝(Ｎo／Ｎd−１)×Ｌo
（数２）  ξ＝Ｗsw／Ｗs×１００
【０００８】
また、本発明の雪の含水率測定器具は、溶液を０℃に保つ測定容器と、当該測定容器内の溶液の溶液濃度を計測するための濃度計測器と、測定容器の重量を計測する重量計とを有し、雪試料が投入される前における溶液の溶液濃度Ｎo〔％〕及び重量Ｌo〔ｇ〕と雪試料が投入された後における溶液の溶液濃度Ｎd〔％〕とを用いて数式３によって雪試料の水分量Ｗsw〔ｇ〕を算出するために、溶液が入れられる前の測定容器の重量Ｗo〔ｇ〕及び雪試料が投入される前における溶液を含む測定容器全体の重量Ｗ1〔ｇ〕を重量計によって計測すると共に雪試料が投入される前における溶液の溶液濃度Ｎo〔％〕及び雪試料が投入された後における溶液の溶液濃度Ｎd〔％〕を濃度計測器によって計測し、さらに、雪試料の水分量Ｗsw〔ｇ〕と雪試料の重量Ｗs〔ｇ〕とを用いて数式４によって雪試料の重量含水率ξ〔％〕を算出するために雪試料が投入された後における測定容器の重量Ｗn〔ｇ〕を重量計によって計測するようにしている。
【０００９】
（数３）  Ｗsw＝(Ｎo／Ｎd−１)×Ｌo
ただし、Ｌo＝Ｗ1−Ｗo
【００１０】
（数４）  ξ＝Ｗsw／Ｗs×１００
ただし、Ｗs＝Ｗn−Ｗ1
【００１１】
これらの雪の含水率測定方法や含水率測定器具によると、雪の含水率の測定を行うための器具の構成が簡易であると共に小型化が可能である。
【００１２】
これらの雪の含水率測定方法や含水率測定器具によると、また、雪の含水率を測定するための作業が容易・簡便であり、細かい作業や高度の技術が必要とされる場合のような測定誤差の発生が回避される。
【００１３】
これらの雪の含水率測定方法や含水率測定器具によると、また、採取した雪試料の全てを用いて含水率の測定が行われるので、例えば試料表面部分のみなどのように雪試料の一部分のみにおける性状の偏りの影響が排除される。
【００１４】
これらの雪の含水率測定方法や含水率測定器具によると、また、雪試料を多数採取してそれぞれの含水率を測定する場合の作業の手間を大幅に軽減することができるので、様々な場所の多数の試料のデータを用いることによって多様な分析を行うことが容易になり、加えて、多数の試料のデータを用いることによって局所的なばらつきの影響が排除される。
【００１５】
これらの雪の含水率測定方法や含水率測定器具によると、また、雪の含水率の測定において必要とされる計測は濃度計測及び重量計測のみであると共に含水率の算定方法も簡便であり、特殊な機器や設備並びに特別の知識や技術を用いることなく雪試料の含水率を測定することができるので、雪の含水率の測定にかかるコストが低減し、また、手間が軽減する。
【００１６】
また、本発明の雪の含水率測定方法は、雪試料が投入される前における溶液の温度Ｔo〔℃〕，溶液濃度Ｎo〔％〕，及び重量Ｌo〔ｇ〕と、雪試料が投入された後であり且つ温度が０℃である状態の溶液の溶液濃度Ｎd〔％〕と、雪試料の重量Ｗs〔ｇ〕と、氷の融解熱Ｈmi〔cal／ｇ〕とを用いて数式５によって雪試料の重量含水率ξ〔％〕が算出されるようにしている。
【００１７】
（数５）  ξ＝[(Ｎo／Ｎd−１．０)−Ｔo／Ｈmi]×Ｌo／Ｗs×１００
【００１８】
また、本発明の雪の含水率測定器具は、溶液を０℃に保つ測定容器と、当該測定容器内の溶液の溶液濃度を計測するための濃度計測器と、測定容器の重量を計測する重量計と、測定容器内の溶液の温度を計測するための温度計とを有し、雪試料が投入される前における溶液の温度Ｔo〔℃〕，溶液濃度Ｎo〔％〕，及び重量Ｌo〔ｇ〕と、雪試料が投入された後であり且つ温度が０℃である状態の溶液の溶液濃度Ｎd〔％〕と、氷の融解熱Ｈmi〔cal／ｇ〕とを用いて数式６によって雪試料の水分量Ｗsw〔ｇ〕を算出するために、溶液が入れられる前の測定容器の重量Ｗo〔ｇ〕及び雪試料が投入される前における溶液を含む測定容器全体の重量Ｗ1〔ｇ〕を重量計によって計測すると共に、雪試料が投入される前における溶液の温度Ｔo〔℃〕を温度計によって計測し、また、雪試料が投入される前における溶液の溶液濃度Ｎo〔％〕及び雪試料が投入された後であり且つ温度が０℃である状態の溶液の溶液濃度Ｎd〔％〕を濃度計測器によって計測し、さらに、雪試料の水分量Ｗsw〔ｇ〕と雪試料の重量Ｗs〔ｇ〕とを用いて数式７によって雪試料の重量含水率ξ〔％〕を算出するために雪試料が投入された後における測定容器の重量Ｗn〔ｇ〕を重量計によって計測するようにしている。
【００１９】
（数６）  Ｗsw＝[(Ｎo／Ｎd−１．０)−Ｔo／Ｈmi]×Ｌo
ただし、Ｌo＝Ｗ1−Ｗo
【００２０】
（数７）  ξ＝Ｗsw／Ｗs×１００
ただし、Ｗs＝Ｗn−Ｗ1
【００２１】
なお、溶液の溶液濃度として、溶液の種類に対応する比重と濃度との間の周知の換算関係が用いられて溶液の比重から換算された濃度が用いられるようにしても良い。この場合には、濃度計測器として比重計測器が用いられる。
【００２２】
これらの雪の含水率測定方法や含水率測定器具によると、上述の雪の含水率測定方法や雪の含水率測定器具の作用に加え、雪試料が投入される時（厳密には、雪試料が投入される直前）における溶液の温度が０℃でない場合に溶液に投入された雪試料が融けて溶液に混ざり込む水量による濃度（比重）に与える影響の補正が考慮された雪試料の重量含水率ξ〔％〕が算出される。
【００２３】
また、本発明の雪の含水率測定方法及び含水率測定器具は、溶液が塩水であるようにしても良く、この場合には、濃度調整を含む溶液の取り扱いが容易になる。
【００２４】
また、本発明の雪の含水率測定方法及び含水率測定器具は、雪試料が透水性を有する袋に入れられて溶液に投入されるようにしても良く、この場合には、雪試料が溶液に完全に沈められるようになる。
【００２５】
また、本発明の雪の含水率測定器具は、測定容器が外側容器と内側容器とから構成されると共にこれら外側容器と内側容器との間に空間が設けられ、当該空間に雪が充填されるようにしても良く、この場合には、測定容器の構成が簡易でありながらも内側容器内の溶液が０℃に確実に冷却されると共に溶液が０℃である状態が確実に確保される。
【００２６】
また、本発明の雪の含水率測定方法は溶液に雪試料が投入された後に溶液が上下方向に循環させられるようにしても良く、また、本発明の雪の含水率測定器具は測定容器内の溶液を循環させるための循環手段を更に有するようにしても良く、これらの場合には、濃度・比重が異なる溶液と雪試料に含まれる水とが分離することなく適切に十分に混ざり合い、内側容器内における溶液の濃度・比重が偏りのない均一な状態になる。
【発明の効果】
【００２７】
本発明の雪の含水率測定方法や含水率測定器具によれば、雪の含水率の測定を行うための器具の構成が簡易であると共に小型化が可能であるので、雪の含水率の測定にかかるコストを低減することが可能になる。そして、雪の含水率の測定技術としての汎用性の向上が可能になる。
【００２８】
本発明の雪の含水率測定方法や含水率測定器具によれば、また、雪の含水率を測定するための作業が容易・簡便であるので、雪の含水率測定の作業の手間を軽減し且つ作業時間を短縮することが可能になる。また、雪の含水率を測定するための作業が容易・簡便であり、細かい作業や高度の技術が必要とされる場合のような測定誤差の発生を回避することができるので、雪の含水率測定の信頼性の向上を図ることが可能になる。そして、これらの点からも、雪の含水率の測定技術としての汎用性の向上が可能になる。
【００２９】
本発明の雪の含水率測定方法や含水率測定器具によれば、また、例えば試料表面部分のみなどのように雪試料の一部分のみにおける性状の偏りの影響を排除することができるので、雪の含水率を正確に測定することが可能になり、雪の含水率測定の信頼性の向上を図ることが可能になる。
【００３０】
本発明の雪の含水率測定方法や含水率測定器具によれば、また、雪試料を多数採取してそれぞれの含水率を測定する場合の作業の手間を大幅に軽減することができるので、様々な場所の多数の試料のデータを用いることによって多様な分析を行うことが容易に可能になったり、多数の試料のデータを用いることによって局所的なばらつきの影響を排除してデータ精度を向上させることが容易に可能になったりする。
【００３１】
本発明の雪の含水率測定方法や含水率測定器具によれば、また、雪の含水率の測定において必要とされる計測は濃度計測及び重量計測のみであると共に含水率の算定方法も簡便であり、特殊な機器や設備並びに特別の知識や技術を用いることなく雪試料の含水率を測定することができるので、雪の含水率の測定にかかるコストを低減すると共に手間を軽減することが可能になり、雪の含水率の測定技術としての汎用性の向上が可能になる。
【００３２】
本発明の雪の含水率測定方法や含水率測定器具によれば、また、溶液に投入された雪試料が融けて溶液に混ざり込む水量による濃度（比重）に与える影響の補正が考慮された雪試料の重量含水率ξ〔％〕を算出するようにすることもできるので、雪の含水率を正確に測定することが可能になり、雪の含水率測定の信頼性の向上を図ることが可能になる。
【００３３】
また、本発明の雪の含水率測定方法や含水率測定器具は、溶液が塩水であるようにしても良く、この場合には、濃度調整を含む溶液の取り扱いが容易になるので、測定方法の実施や測定器具の取り扱いを簡易にすることができ、雪の含水率測定方法及び含水率測定器具としての汎用性を向上させることが可能になる。
【００３４】
また、本発明の雪の含水率測定方法や含水率測定器具は、雪試料が透水性を有する袋に入れられて溶液に投入されるようにしても良く、この場合には、雪試料が溶液に確実に完全に沈められるようにすることができ、雪試料に含まれる水の全てが溶液に確実に混ぜられるので、雪の含水率の測定精度を向上させることが可能になる。
【００３５】
また、本発明の雪の含水率測定器具は、測定容器の外側容器と内側容器との間の空間に雪が充填されるようにしても良く、この場合には、測定容器の構成が簡易でありながらも内側容器内の溶液を０℃に確実に冷却すると共に溶液が０℃である状態を確実に確保することができるので、雪の含水率の測定精度を向上させると共に雪の含水率測定方法及び含水率測定器具としての汎用性を向上させることが可能になる。
【００３６】
また、本発明の雪の含水率測定器具は、測定容器内の溶液を循環させるための循環手段を更に有するようにしても良く、この場合には、内側容器内における溶液の濃度・比重を偏りのない均一な状態にすることができるので、雪の含水率の測定精度を向上させることが可能になる。
【図面の簡単な説明】
【００３７】
【図１】本発明の雪の含水率測定方法の第一の実施形態の一例を説明するフローチャートである。
【図２】本発明の雪の含水率測定器具の第一の実施形態の一例を説明する斜視図である。
【図３】本発明の雪の含水率測定方法の第二の実施形態の一例を説明するフローチャートである。
【図４】本発明の雪の含水率測定器具の第二の実施形態の一例を説明する斜視図である。
【図５】従来の雪の含水率測定装置を示す図である。
【発明を実施するための形態】
【００３８】
以下、本発明の構成を図面に示す実施の形態の一例に基づいて詳細に説明する。
【００３９】
図１及び図２に、本発明の雪の含水率測定方法及び含水率測定器具の第一の実施形態の一例を示す。
【００４０】
第一の実施形態の雪の含水率測定方法は、雪試料が投入される前における溶液２の溶液濃度Ｎo〔％〕及び重量Ｌo〔ｇ〕と雪試料が投入された後における溶液２の溶液濃度Ｎd〔％〕とを用いて数式８によって雪試料の水分量Ｗsw〔ｇ〕が算出され、当該雪試料の水分量Ｗsw〔ｇ〕と雪試料の重量Ｗs〔ｇ〕とを用いて数式９によって雪試料の重量含水率ξ〔％〕が算出されるものである。
【００４１】
（数８）  Ｗsw＝(Ｎo／Ｎd−１)×Ｌo
（数９）  ξ＝Ｗsw／Ｗs×１００
【００４２】
また、第一の実施形態の雪の含水率測定器具は、図２に示すように、溶液２を０℃に保つ測定容器１と、当該測定容器１内の溶液２の溶液濃度を計測するための濃度計測器３と、測定容器１の重量を計測する重量計４とを有し、雪試料が投入される前における溶液２の溶液濃度Ｎo〔％〕及び重量Ｌo〔ｇ〕と雪試料が投入された後における溶液２の溶液濃度Ｎd〔％〕とを用いて数式１０によって雪試料の水分量Ｗsw〔ｇ〕を算出するために、溶液２が入れられる前の測定容器１の重量Ｗo〔ｇ〕及び雪試料が投入される前における溶液２を含む測定容器１全体の重量Ｗ1〔ｇ〕を重量計４によって計測すると共に雪試料が投入される前における溶液２の溶液濃度Ｎo〔％〕及び雪試料が投入された後における溶液２の溶液濃度Ｎd〔％〕を濃度計測器３によって計測し、さらに、雪試料の水分量Ｗsw〔ｇ〕と雪試料の重量Ｗs〔ｇ〕とを用いて数式１１によって雪試料の重量含水率ξ〔％〕を算出するために雪試料が投入された後における測定容器１の重量Ｗn〔ｇ〕を重量計４によって計測するものである。
【００４３】
（数１０）  Ｗsw＝(Ｎo／Ｎd−１)×Ｌo
ただし、Ｌo＝Ｗ1−Ｗo
【００４４】
（数１１）  ξ＝Ｗsw／Ｗs×１００
ただし、Ｗs＝Ｗn−Ｗ1
【００４５】
測定容器１は、溶液２を収容すると共に溶液２の温度を０℃の状態に保つためのものである。
【００４６】
測定容器１の収容空間は、特定の大きさに限定されるものではなく、小さ過ぎると測定誤差が大きくなってしまうことなどが考えられ、一方で、大き過ぎると携帯に不向きになってしまうことなどが考えられ、これらの得失も考慮されて適当な大きさに適宜設定される。具体的には例えば５０〜１００〔cc〕程度の範囲で設定されることが考えられる。
【００４７】
本実施形態の測定容器１は、外側容器１ａと内側容器１ｂとから構成され、これら外側容器１ａと内側容器１ｂとの間に空間が設けられる。なお、本実施形態の構造の場合には、収容空間である内側容器１ｂの容量が例えば５０〜１００〔cc〕程度にされる。
【００４８】
測定容器１を構成する外側容器１ａや内側容器１ｂの材質は、それ自体が水密性を備えるものであれば、特定のものには限定されない。具体的には例えばプラスチックや金属などが用いられ得る。なお、外側容器１ａは、それ自体が断熱性を備えたり、周壁の外周面が断熱材で覆われたりなどすることにより、断熱性（保温性）を備えることが好ましい。
【００４９】
ここで、測定前の準備として、溶液２が入れられる前の測定容器１の重量が予め計測される。溶液２が入れられる前の測定容器１の重量をＷo〔ｇ〕とする。
【００５０】
内側容器１ｂ内に溶液２が貯められる。溶液２の種類は、０℃において溶液中の水の重量の変化に伴って溶液濃度が変化し得るものであれば、特定のものに限定されるものではなく、取り扱いの容易さなどが考慮されて適当なものが適宜選択され得る。
【００５１】
本発明における溶液２としては、具体的には例えば、塩水，糖液，アルコール液などが用いられ得る。なお、塩水は、準備が容易である点や、濃度調整を含む溶液２の取り扱いが容易になる点において好ましい。
【００５２】
なお、測定容器１内に入れられる溶液２の量は、特定の量に限定されるものではなく、少な過ぎたり多過ぎたりすると測定誤差が大きくなってしまう虞があることや測定容器１の容量（本実施形態では内側容器１ｂの容量）などが勘案されて適当な量に適宜調節される。具体的には例えば３０〜７０〔cc〕程度の溶液２が入れられることが考えられる。
【００５３】
また、溶液２の初期の濃度も、特定の値に限定されるものではなく、高過ぎたり低過ぎたりすると測定誤差が大きくなってしまう虞があることなどが勘案されて適当な濃度に適宜調節される。具体的には例えば１〜１０〔％〕の範囲で設定されることが考えられる。
【００５４】
濃度計測器３は、特定のものに限定されるものではなく、０℃の溶液２の溶液濃度を計測可能なものであればどのような形式のものであっても構わない（なお、溶液２の溶媒及び溶質の種類が必要に応じて考慮される）。具体的には例えば、浮ひょう型濃度計（浮ひょう型比重計），光分析式濃度計，電気化学分析式濃度計，磁気式濃度計，電磁濃度計，超音波濃度計などが用いられ得る。
【００５５】
なお、濃度計測器３の形態は、濃度計測器３の少なくとも溶液濃度感知部分（具体的にはプローブ(探針)など）が溶液２内に没入される態様のものでも良いし、測定容器１内から少量取り出された溶液２を用いて計測を行う態様のものでも良い。
【００５６】
そして、第一の実施形態の雪の含水率の測定においては、図１に示すように、まず、測定容器１の内側容器１ｂ内に溶液２が注入される（Ｓ１）。
【００５７】
本実施形態では、溶液２は、測定容器１の内側容器１ｂ内に入れられてから０℃まで冷却される。
【００５８】
溶液２の温度を０℃まで冷却する方法は、特定の方法に限定されるものではなく、溶液２の温度を０℃にすることができる方法であればどのような方法であっても構わない。
【００５９】
本実施形態では、内側容器１ｂ内の溶液２の温度を０℃まで冷却すると共に０℃の状態を維持するため、外側容器１ａと内側容器１ｂとの間の空間に雪が充填されると共に水が入れられる（図２中の符号５）。
【００６０】
ここで、本実施形態では、溶液２は、以降のＳ２からＳ４までの処理の間に亙って０℃に維持される。
【００６１】
なお、本実施形態では、前述の測定前準備としての測定容器１の重量の計測は、外側容器１ａと内側容器１ｂとの間の空間に雪及び水（符号５）が入れられた状態で、重量計４によって行われる。
【００６２】
なお、０℃に予め冷却された溶液２を測定容器１に入れるようにしても構わない。また、この場合にも、以降のＳ２からＳ４までの処理の間中溶液２が０℃である状態を維持するために外側容器１ａと内側容器１ｂとの間の空間に雪が充填されると共に水が入れられるようにしても良い。
【００６３】
次に、雪試料投入前の溶液２の溶液濃度が濃度計測器３によって計測されると共に溶液２を含む測定容器１全体の重量が重量計４によって計測される（Ｓ２）。
【００６４】
雪試料が投入される前における溶液２の溶液濃度をＮo〔％〕とする。
【００６５】
また、雪試料が投入される前における溶液２を含む測定容器１全体の重量をＷ1〔ｇ〕とする。
【００６６】
なお、雪試料が投入される前における溶液２の溶液濃度Ｎoは、測定容器１内に入れられる前に予め計測されるようにしても良い。
【００６７】
また、測定容器１内に入れられてから溶液２が０℃まで冷却される場合には、溶液２の冷却と溶液濃度Ｎoの計測とはどちらが先に行われても構わないし、同時に行われても構わない。なお、このＳ２の処理における雪試料投入前の溶液濃度の計測が０℃の状態ではない場合で、後のＳ４の処理における雪試料投入後の溶液濃度の計測との整合を図る上で必要な場合には、温度補正が行われる。
【００６８】
また、前述の測定前準備として予め計測された測定容器１の重量が、濃度計測器３を含まないものである場合には濃度計測器３を含まない重量が計測され、濃度計測器３を含むものである場合には濃度計測器３を含む重量が計測される。
【００６９】
次に、測定容器１の内側容器１ｂ内の溶液２に雪試料が投入される（Ｓ３）。
【００７０】
すなわち、測定対象の積雪から採取された雪試料が溶液２に投入される。なお、溶液２に投入される雪試料の量は、特定の量に限定されるものではなく、少な過ぎると測定誤差が大きくなってしまう虞があることなどが勘案されて適当な量に適宜調節される。具体的には例えば１０〜３０〔cc〕程度の雪試料が投入されることが考えられる。
【００７１】
雪試料投入後、溶液２が攪拌される（例えば数秒程度）。これにより、雪の中に存在する水が溶媒として溶液２中に浸入し、溶液２の濃度が低下する。なお、攪拌の方法は、特定の方法に限定されるものではなく、溶液２に投入された雪試料全体が溶液２に接触し得るようにかき混ぜられるものであればどのような方法であっても構わない。
【００７２】
なお、溶液２は０℃の状態であるので、溶液２に投入された雪試料中の氷の結晶（氷成分）は解けずに結晶状態（氷の状態）が維持される。すなわち、雪試料中の水分は溶液２中に侵入して溶液濃度を低下させる一方で、雪試料中の氷の結晶は溶液２中に解けて侵入することがないので溶液濃度に影響を与えない。
【００７３】
次に、雪試料投入後の溶液２の溶液濃度が濃度計測器３によって計測されると共に測定容器１全体の重量が重量計４によって計測される（Ｓ４）。
【００７４】
雪試料が投入された後における溶液２の溶液濃度をＮd〔％〕とする。なお、溶液濃度は、測定容器１（内側容器１ｂ）内の溶液２中の複数箇所において濃度の計測をし、これによって得られた複数の計測値の平均値や中央値とされるようにしても良い。
【００７５】
また、雪試料が投入された後における溶液２及び雪試料を含む測定容器１全体の重量をＷn〔ｇ〕とする。
【００７６】
次に、雪試料の含水率が算出される（Ｓ５）。
【００７７】
まず、溶液２が入れられる前の測定容器１の重量Ｗo〔ｇ〕と雪試料が投入される前における溶液２を含む測定容器１全体の重量Ｗ1〔ｇ〕とを用いると、雪試料が投入される前における溶液２の重量Ｌo〔ｇ〕は数式１２によって算出される。
【００７８】
（数１２）  Ｌo＝Ｗ1−Ｗo
【００７９】
また、雪試料が投入される前における溶液２中の溶質の重量Ｓo〔ｇ〕は数式１３によって算出される。
【００８０】
（数１３）  Ｓo＝Ｌo×Ｎo／１００
【００８１】
さらに、溶液２に投入された雪試料の重量Ｗs〔ｇ〕は数式１４によって算出される。
【００８２】
（数１４）  Ｗs＝Ｗn−Ｗ1
【００８３】
そして、溶液２に投入された雪試料の水分量をＷsw〔ｇ〕とすると、雪試料が投入された後における溶液２の溶液濃度Ｎd〔％〕は数式１５のように表される。
【００８４】
（数１５）  Ｎd＝Ｓo／(Ｌo＋Ｗsw)×１００
【００８５】
したがって、数式１３も用いて数式１５を変形することにより、溶液２に投入された雪試料の水分量Ｗsw〔ｇ〕は数式１６によって求められる。
【００８６】
（数１６）  Ｗsw＝(Ｎo／Ｎd−１)×Ｌo
【００８７】
数式１４によって算出される溶液２に投入された雪試料の重量Ｗs〔ｇ〕と数式１６によって算出される溶液２に投入された雪試料の水分量Ｗsw〔ｇ〕とを用い、溶液２に投入された雪試料の重量含水率ξ〔％〕は数式１７によって算出される。
【００８８】
（数１７）  ξ＝Ｗsw／Ｗs×１００
【００８９】
以上の処理により、測定対象の積雪の重量含水率ξ〔％〕が求められる（ＥＮＤ）。
【００９０】
次に、図３及び図４に、本発明の雪の含水率測定方法及び含水率測定器具の第二の実施形態の一例を示す。
【００９１】
第二の実施形態の雪の含水率測定方法は、雪試料が投入される前における溶液２の温度Ｔo〔℃〕，溶液濃度Ｎo〔％〕，及び重量Ｌo〔ｇ〕と、雪試料が投入された後であり且つ温度が０℃である状態の溶液２の溶液濃度Ｎd〔％〕と、雪試料の重量Ｗs〔ｇ〕と、氷の融解熱Ｈmi〔cal／ｇ〕とを用いて数式１８によって雪試料の重量含水率ξ〔％〕が算出されるものである。
【００９２】
（数１８）  ξ＝[(Ｎo／Ｎd−１．０)−Ｔo／Ｈmi]×Ｌo／Ｗs×１００
【００９３】
また、第二の実施形態の雪の含水率測定器具は、図４に示すように、溶液２を０℃に保つ測定容器１と、当該測定容器１内の溶液２の溶液濃度を計測するための濃度計測器（若しくは比重を計測するための比重計測器６）と、測定容器１の重量を計測する重量計４と、測定容器１内の溶液２の温度を計測するための温度計７とを有し、雪試料が投入される前における溶液２の温度Ｔo〔℃〕，溶液濃度Ｎo〔％〕，及び重量Ｌo〔ｇ〕と、雪試料が投入された後であり且つ温度が０℃である状態の溶液２の溶液濃度Ｎd〔％〕と、氷の融解熱Ｈmi〔cal／ｇ〕とを用いて数式１９によって雪試料の水分量Ｗsw〔ｇ〕を算出するために、溶液２が入れられる前の測定容器１の重量Ｗo〔ｇ〕及び雪試料が投入される前における溶液２を含む測定容器１全体の重量Ｗ1〔ｇ〕を重量計４によって計測すると共に、雪試料が投入される前における溶液２の温度Ｔo〔℃〕を温度計７によって計測し、また、雪試料が投入される前における溶液２の溶液濃度Ｎo〔％〕及び雪試料が投入された後であり且つ温度が０℃である状態の溶液２の溶液濃度Ｎd〔％〕を濃度計測器によって計測し、さらに、雪試料の水分量Ｗsw〔ｇ〕と雪試料の重量Ｗs〔ｇ〕とを用いて数式２０によって雪試料の重量含水率ξ〔％〕を算出するために雪試料が投入された後における測定容器１の重量Ｗn〔ｇ〕を重量計４によって計測するものである。
【００９４】
（数１９）  Ｗsw＝[(Ｎo／Ｎd−１．０)−Ｔo／Ｈmi]×Ｌo
ただし、Ｌo＝Ｗ1−Ｗo
【００９５】
（数２０）  ξ＝Ｗsw／Ｗs×１００
ただし、Ｗs＝Ｗn−Ｗ1
【００９６】
測定容器１は、溶液２を収容すると共に、溶液２の温度が０℃でない場合には０℃まで冷却した上で容器２の温度を０℃の状態に保つためのものである。
【００９７】
測定容器１の収容空間は、特定の大きさに限定されるものではなく、小さ過ぎると測定誤差が大きくなってしまうことなどが考えられ、一方で、大き過ぎると携帯に不向きになってしまうことなどが考えられ、これらの得失も考慮されて適当な大きさに適宜設定される。具体的には例えば７００〜１１００〔cc〕程度の範囲で設定されることが考えられる。
【００９８】
本実施形態の測定容器１は、外側容器１ａと内側容器１ｂとから構成され、これら外側容器１ａと内側容器１ｂとの間に空間が設けられる。なお、本実施形態の構造の場合には、収容空間である内側容器１ｂの容量が例えば７００〜１１００〔cc〕程度にされる。
【００９９】
測定容器１を構成する外側容器１ａや内側容器１ｂの材質は、それ自体が水密性を備えるものであれば、特定のものには限定されない。具体的には例えばプラスチックや金属などが用いられ得る。なお、外側容器１ａは、それ自体が断熱性を備えたり、周壁の外周面が断熱材で覆われたりなどすることにより、断熱性（保温性）を備えることが好ましい。
【０１００】
測定容器１の内側容器１ｂの内部に、循環手段８が設けられる。循環手段８は、内側容器１ｂ内の溶液２を循環させるためのものであり、具体的には、溶液２を、流動方向が上下になるように（言い換えると、溶液２の上側部分と下側部分とが混ざるように）循環させるためのものである。
【０１０１】
なお、溶液２の溶液濃度（若しくは、比重）の計測に影響を与えないようにするため（言い換えると、溶液２の溶液濃度や比重の計測に誤差が含まれないようにするため）、循環手段８は、溶液２を循環させる際に気泡が生じないものであることが望ましい。
【０１０２】
循環手段８は、例えば上部から吸入した溶液２を下端から吐出するなどして溶液２を上下方向に（言い換えると、溶液２の上側部分と下側部分とが混ざるように）循環させ得るものであれば、特定の種類の機器・器具・装置に限定されるものではなく、含水率測定器具全体としての携帯性を損なわないことや想定される使用環境を踏まえた上での動力源の要・不要などが考慮されて適当なものが適宜選択され得る。
【０１０３】
具体的には例えば、あくまで一例として挙げれば、図４に示すように、液体を貯留するためのタンク８ａを有すると共に、吸入のみが可能とされた逆止弁が設けられた吸込口８ｂをタンク８ａの上部に、また、吐出のみが可能とされた逆止弁が設けられた排出口８ｃをタンク８ａの下端にそれぞれ備え、外側に突出した状態から押圧されたときはタンク８ａ内に進入することによってタンク８ａ内の圧力を上昇させようとし（これにより、タンク８ａ内の液体が排出口８ｃから吐出する）且つ押圧が解除されたときはタンク８ａ内から後退することによってタンク８ａ内の圧力を減少させようとする（これにより、吸込口８ｂからタンク８ａ内に液体が吸入される）ボタン若しくはピストン８ｄを有する仕組み（指押しポンプと呼ばれることもある）が用いられ得る。
【０１０４】
なお、循環手段８は、手動式のものでも良いし、電動式のものでも良い。
【０１０５】
ここで、測定前の準備として、溶液２が入れられる前の測定容器１の重量が予め計測される。溶液２が入れられる前の測定容器１の重量をＷo〔ｇ〕とする。
【０１０６】
内側容器１ｂ内に溶液２が貯められる。溶液２の種類は、０℃において溶液中の水の重量の変化に伴って溶液濃度が変化し得るものであれば、特定のものに限定されるものではなく、取り扱いの容易さなどが考慮されて適当なものが適宜選択され得る。
【０１０７】
本発明における溶液２としては、具体的には例えば、塩水，糖液，アルコール液などが用いられ得る。なお、塩水は、準備が容易である点や、濃度調整を含む溶液２の取り扱いが容易になる点において好ましい。
【０１０８】
なお、測定容器１内に入れられる溶液２の量は、特定の量に限定されるものではなく、少な過ぎたり多過ぎたりすると測定誤差が大きくなってしまう虞があることや測定容器１の容量（本実施形態では内側容器１ｂの容量）などが勘案されて適当な量に適宜調節される。具体的には例えば５００〜９００〔cc〕程度の溶液２が入れられることが考えられる。
【０１０９】
また、溶液２の初期の濃度も、特定の値に限定されるものではなく、高過ぎたり低過ぎたりすると測定誤差が大きくなってしまう虞があることなどが勘案されて適当な濃度に適宜調節される。具体的には例えば１〜１０〔％〕の範囲で設定されることが考えられる。
【０１１０】
濃度計測器は、特定のものに限定されるものではなく、０℃の溶液２の溶液濃度を計測可能なものであればどのような形式のものであっても構わない（なお、溶液２の溶媒及び溶質の種類が必要に応じて考慮される）。具体的には例えば、浮ひょう型濃度計（浮ひょう型比重計），光分析式濃度計，電気化学分析式濃度計，磁気式濃度計，電磁濃度計，超音波濃度計などが用いられ得る。
【０１１１】
濃度計測器として、比重計測器６が用いられるようにしても良い。比重計測器６が用いられた場合には、溶液２の種類に対応する比重と濃度との間の周知の換算関係が用いられて、比重計測器６によって計測された溶液２の比重が濃度に換算される。なお、図４に示す例では、比重計測器６が用いられている。
【０１１２】
なお、濃度計測器や比重計測器の形態は、濃度計測器の少なくとも溶液濃度感知部分（具体的にはプローブ(探針)など）や比重計測器の溶液比重計測部分が溶液２内に投入されたり比重計測器６全体が溶液２内に没入されたりする態様のものでも良いし、測定容器１内から少量取り出された溶液２を用いて計測を行う態様のものでも良い。なお、図４に示す例では、比重計測器６全体が溶液２内に没入されている。
【０１１３】
そして、第二の実施形態の雪の含水率の測定においては、図３に示すように、まず、測定容器１の内側容器１ｂ内に溶液２が注入される（Ｓ１）。
【０１１４】
本実施形態では、測定容器１の内側容器１ｂが０℃になるように冷却される。
【０１１５】
内側容器１ｂを０℃まで冷却すると共に０℃の状態を維持する方法は、特定の方法に限定されるものではなく、内側容器１ｂの温度を０℃にすることができる方法であればどのような方法であっても構わない。
【０１１６】
本実施形態では、内側容器１ｂの温度を０℃まで冷却すると共に０℃の状態を維持するため、外側容器１ａと内側容器１ｂとの間の空間に雪が充填されると共に水が入れられる（図４中の符号５）。なお、図４に示す例では、外側容器１ａの底と内側容器１ｂの底との間にも雪が敷き詰められると共に水が浸透している。
【０１１７】
なお、本実施形態では、前述の測定前準備としての測定容器１の重量の計測は、外側容器１ａと内側容器１ｂとの間の空間に雪及び水（符号５）が入れられた状態で、重量計４によって行われる。
【０１１８】
次に、雪試料投入前の溶液２を含む測定容器１全体の重量が計測され、さらに、雪試料投入時（厳密には、雪試料投入直前）の溶液２の温度が温度計７によって計測されると共に溶液濃度が濃度計測器によって（若しくは、比重が比重計測器６によって）計測される（Ｓ２）。
【０１１９】
雪試料が投入される前における溶液２を含む測定容器１全体の重量をＷ1〔ｇ〕とする。なお、本実施形態では、測定容器１の重量の計測は重量計４によって行われる。
【０１２０】
また、雪試料が投入される時（厳密には、雪試料が投入される直前）における溶液２の温度をＴo〔℃〕とする。
【０１２１】
また、雪試料が投入される時（厳密には、雪試料が投入される直前）における溶液２の溶液濃度（若しくは、溶液２の比重から換算された濃度）をＮo〔％〕とする。
【０１２２】
次に、測定容器１の内側容器１ｂ内の溶液２に雪試料が投入される（Ｓ３）。
【０１２３】
すなわち、測定対象の積雪から採取された雪試料が溶液２に投入される。なお、溶液２に投入される雪試料の量は、特定の量に限定されるものではなく、少な過ぎると測定誤差が大きくなってしまう虞があることなどが勘案されて適当な量に適宜調節される。具体的には例えば５０〜１５０〔cc〕程度の雪試料が投入されることが考えられる。
【０１２４】
ここで、雪試料に含まれる水が全て溶液２に混ざり込むようにするため、雪試料が溶液２に完全に沈む（言い換えると、雪試料全体が溶液２に接触する）ようにすることが必要である。このため、メッシュ生地やネットなど透水性を有する素材で形成された袋などに雪試料が入れられて溶液２に投入され、さらに、前記透水性を有する袋などの端が掴まれて上下に数回揺らされ、雪試料が溶液２に完全に沈められるようにすることが好ましい。
【０１２５】
なお、雪試料が入れられる前記透水性を有する袋などは、溶液２の溶液濃度に影響を与えないようにするため（言い換えると、溶液２の溶液濃度や比重の計測に誤差が含まれないようにするため）、乾燥状態であることが望ましい。
【０１２６】
また、雪試料が入れられる前記透水性を有する袋などは、雪試料が入れられる前に、例えば積雪に埋没させられるなどにより（この際、前記透水性を有する袋などに水分が付着しないようにするために防水性能を備える袋に収納されてから積雪に埋没させられることが望ましい）、０℃程度にまで冷却されていることが好ましい。
【０１２７】
雪試料投入後、循環手段８によって溶液２が上下方向に循環（攪拌）される。これにより、濃度・比重が異なる溶液２と雪試料に含まれる水とが分離することなく適切に十分に混ざり合い、内側容器１ｂ内における溶液２の濃度・比重が偏りのない均一な状態になる。
【０１２８】
次に、雪試料投入後の溶液２の溶液濃度が濃度計測器によって（若しくは、比重が比重計測器６によって）計測されると共に測定容器１全体の重量が計測される（Ｓ４）。
【０１２９】
測定容器１の内側容器１ｂの０℃の状態が維持されると共に溶液２に雪試料が投入されるため、Ｓ３の処理として循環させていると溶液２の温度はやがて０℃になる。
【０１３０】
そして、溶液２の温度が０℃で安定したところで、溶液２の溶液濃度（若しくは、比重）が計測される。
【０１３１】
雪試料が投入された後であり且つ温度が０℃である状態の溶液２の溶液濃度（若しくは、溶液２の比重から換算された濃度）をＮd〔％〕とする。
【０１３２】
また、雪試料が投入された後における溶液２及び雪試料を含む測定容器１全体の重量をＷn〔ｇ〕とする。なお、本実施形態では、測定容器１の重量の計測は重量計４によって行われる。
【０１３３】
次に、雪試料の含水率が算出される（Ｓ５）。
【０１３４】
まず、溶液２が入れられる前の測定容器１の重量Ｗo〔ｇ〕と雪試料が投入される前における溶液２を含む測定容器１全体の重量Ｗ1〔ｇ〕とを用いると、雪試料が投入される前における溶液２の重量Ｌo〔ｇ〕は数式２１によって算出される。
【０１３５】
（数２１）  Ｌo＝Ｗ1−Ｗo
【０１３６】
また、雪試料が投入された後における溶液２及び雪試料を含む測定容器１全体の重量Ｗn〔ｇ〕と雪試料が投入される前における溶液２を含む測定容器１全体の重量Ｗ1〔ｇ〕とを用いると、溶液２に投入された雪試料の重量Ｗs〔ｇ〕は数式２２によって算出される。
【０１３７】
（数２２）  Ｗs＝Ｗn−Ｗ1
【０１３８】
そして、雪試料が投入される時（厳密には、雪試料が投入される直前）における溶液２の温度が０℃でない場合に溶液２に投入された雪試料が融けて溶液２に混ざり込む水量による濃度（比重）に与える影響の補正を考慮した、溶液２に投入された雪試料の重量含水率ξ〔％〕は数式２３によって算出される。
【０１３９】
（数２３）  ξ＝[(Ｎo／Ｎd−１．０)−Ｔo／Ｈmi]×Ｌo／Ｗs×１００
【０１４０】
ここで、数式２３における「Ｈmi」は、氷の融解熱〔cal／ｇ〕であり、約８０〔cal／ｇ〕である。
【０１４１】
以上の処理により、測定対象の積雪の重量含水率ξ〔％〕が求められる（ＥＮＤ）。
【０１４２】
以上のように構成された雪の含水率測定方法や含水率測定器具によれば、雪の含水率を測定するための作業が容易・簡便であるので、雪の含水率測定の作業の手間を軽減し且つ作業時間を短縮することが可能になる。また、雪の含水率を測定するための作業が容易・簡便であり、細かい作業や高度の技術が必要とされる場合のような測定誤差の発生を回避することができるので、雪の含水率測定の信頼性の向上を図ることが可能になる。そして、雪の含水率の測定技術としての汎用性の向上が可能になる。
【０１４３】
以上のように構成された本発明の雪の含水率測定方法や含水率測定器具によれば、また、例えば試料表面部分のみなどのように雪試料の一部分のみにおける性状の偏りの影響を排除することができるので、雪の含水率を正確に測定することが可能になり、雪の含水率測定の信頼性の向上を図ることが可能になる。
【０１４４】
なお、上述の形態は本発明を実施する際の好適な形態の一例ではあるものの本発明の実施の形態が上述のものに限定されるものではなく、本発明の要旨を逸脱しない範囲において本発明は種々変形実施可能である。例えば、上述の実施形態では測定容器１が外側容器１ａと内側容器１ｂとから二層構造状に構成されてこれら外側容器１ａと内側容器１ｂとの間の空間に雪が充填されると共に水が入れられる（図２や図４中の符号５）ようにしているが、溶液２を０℃に保つことができるものであれば測定容器１の構成はこれに限られるものではない。具体的には例えば、外側容器１ａと内側容器１ｂとの間の空間に断熱材が配設されるようにしても良いし、或いは、溶液２を入れる容器のみの一層構造状に構成されるようにしても良い。
【０１４５】
また、上述の実施形態では溶液２が入れられる前の測定容器１の重量Ｗo〔ｇ〕と雪試料が投入される前における溶液２を含む測定容器１全体の重量Ｗ1〔ｇ〕とを用いて雪試料が投入される前における溶液２の重量Ｌo〔ｇ〕が算出されるようにしているが、雪試料が投入される前における溶液２の重量Ｌo〔ｇ〕が直接計測されたり、予め定められた重量の溶液２が準備されたりするようにしても良い。
【０１４６】
また、上述の実施形態では雪試料が投入された後における溶液２及び雪試料を含む測定容器１全体の重量Ｗn〔ｇ〕と雪試料が投入される前における溶液２を含む測定容器１全体の重量Ｗ1〔ｇ〕とを用いて溶液２に投入された雪試料の重量Ｗs〔ｇ〕が算出されるようにしているが、溶液２に投入される前に雪試料の重量Ｗs〔ｇ〕が直接計測されるようにしても良い。
【０１４７】
また、第一の実施形態においても、雪試料が溶液２に確実に完全に沈められるようにするため、第二の実施形態のように、メッシュ生地やネットなど透水性を有する素材で形成された袋などに雪試料が入れられて溶液２に投入され、さらに、前記透水性を有する袋などの端が掴まれて上下に数回揺らされ、雪試料が溶液２に完全に沈められるようにしても良い。
【０１４８】
また、第一の実施形態においても、雪試料が攪拌されるようにするため、第二の実施形態のように、含水率測定器具が循環手段を有するようにしても良い。
【符号の説明】
【０１４９】
１  測定容器
１ａ  外側容器
１ｂ  内側容器
２  溶液
３  濃度計測器
４  重量計
５  雪
６  比重計測器
７  温度計
８  循環手段
【図１】
2016011940.tif 000003
【図２】
2016011940.tif 000004
【図３】
2016011940.tif 000005
【図４】
2016011940.tif 000006
【図５】
2016011940.tif 000007